(57)【要約】【課題】映画鑑賞などの共通体験を人々にオンラインで共有させる。【解決手段】ホスト装置が、映画などのオンラインイベントの日付及び時刻を設定し、ソーシャルネットワーク上の友人などに、映画鑑賞に参加するための招待を送ることができる。受諾した友人は、開始時刻前にホストと共に劇場ページに入って、関連する推薦映画のサムネイルを視聴できるとともに、ロビーページに入ってチャットを行い、他に誰が映画に参加するように招待されていたかを見ることができる。【選択図】図１
2014149821.tif 000002
【特許請求の範囲】
【請求項１】
装置であって、
コンピュータプロセッサと、
前記プロセッサにより制御されるディスプレイと、
前記プロセッサがアクセス可能な、命令を保持するコンピュータ可読記憶媒体と、
を備え、前記プロセッサは、前記命令を実行した時に、
前記ディスプレイ上に、選択時に後でオンラインオーディオビデオイベントをホストするためのオプションを提供するセレクタ要素を示す第１のユーザインターフェイス（ＵＩ）を提示し、
前記ディスプレイ上に、前記イベントを開始することが望ましい日付及び時刻をユーザが選択できるようにする日付及び時刻入力要素を提示し、
前記ディスプレイ上に、ユーザが前記イベントへの招待客を入力できるようにする招待客入力要素を提示し、
イベント情報と、前記日付及び時刻日付に前記イベントにオンラインでアクセスするための招待とを前記招待客に送り、
受諾招待客もアクセス可能なコンピュータネットワーク上のロビーページにアクセスするように前記装置を構成し、前記ロビーページは、同様にロビーページを見ている受諾招待客の画像を含み、前記イベントを表す画像を含み、前記イベントを開始することが望ましい時刻までのカウントダウンを表示し、前記ロビーページの閲覧者間のコンピュータチャットを支援するチャットウィンドウを含む、
ことを特徴とする装置。
【請求項２】
前記イベントは、オンライン映画である、
ことを特徴とする請求項１に記載の装置。
【請求項３】
前記招待客入力要素は、ユーザがソーシャルネットワーキングコンピュータサイトから招待客を選択できるようにする、
ことを特徴とする請求項１に記載の装置。
【請求項４】
前記プロセッサは、前記命令を実行した時に、前記招待の受諾を受け取り、該招待の受諾の表示を前記ホスト装置上に提示する、
ことを特徴とする請求項１に記載の装置。
【請求項５】
前記第１のＵＩは、前記映画の料金をユーザに通知する価格ボックスを提示する、
ことを特徴とする請求項１に記載の装置。
【請求項６】
前記料金は、参加者一人当たりの料金であり、前記第１のＵＩは、参加者が多いほど前記参加者一人当たりの料金が安くなる旨を示す、
ことを特徴とする請求項５に記載の装置。
【請求項７】
前記プロセッサは、前記命令を実行した時に、受諾招待客もアクセス可能なコンピュータネットワーク上の劇場ページにアクセスするように前記装置を構成し、前記劇場ページは、前記選択されたイベント以外のイベントのサムネイルを表示し、少なくとも１つのサムネイルには、前記サムネイルに関連するイベントの将来のイベント時刻の表示を添付して、前記サムネイルに関連するイベントのオンラインイベントも予定されていること示す、
ことを特徴とする請求項１に記載の装置。
【請求項８】
前記劇場ページは、前記招待客に関する情報を少なくとも部分的に使用して前記オーディオビデオイベントオンラインへの招待客を対象にした少なくとも１つの広告を含む、
ことを特徴とする請求項７に記載の装置。
【請求項９】
前記招待客に関する前記情報は、ソーシャルネットワーキングサイトから取得される、
ことを特徴とする請求項８に記載の装置。
【請求項１０】
装置であって、
コンピュータプロセッサと、
前記プロセッサにより制御されるディスプレイと、
前記プロセッサがアクセス可能な、命令を保持するコンピュータ可読記憶媒体と、
を備え、前記プロセッサは、前記命令を実行した時に、オンラインイベントに参加するための招待をホスト装置から受け取ったことに応答して、前記オンラインイベントに関する画像、並びに前記ホスト装置のユーザホストに関連する画像又はアイコン又はその他の記号と、前記プロセッサに関連するディスプレイを有する前記装置に関連するユーザを前記ホストが前記オンラインイベントに参加するように招待した旨のメッセージとを含む第１のユーザインターフェイス（ＵＩ）を前記ディスプレイ上に提示し、
前記第１のＵＩは、前記イベントの予定時刻、前記イベントへの参加を既に受諾した人々のリスト、及び前記招待の受諾を示すメッセージを送信すべく選択可能な「受諾」セレクタ要素をさらに含む、
ことを特徴とする装置。
【請求項１１】
前記第１のＵＩは、前記イベントを見るための料金の表示と、参加者が多いほど前記料金が安くなる旨の表示とを含む、
ことを特徴とする請求項１０に記載の装置。
【請求項１２】
前記プロセッサは、前記命令を実行した時に、前記開始時刻の前に前記ディスプレイ上に前記開始時刻のリマインダーを提示する、
ことを特徴とする請求項１０に記載の装置。
【請求項１３】
前記プロセッサは、前記命令を実行した時に、受諾招待客もアクセス可能なコンピュータネットワーク上のロビーページにアクセスするように前記装置を構成し、前記ロビーページは、同様に前記ロビーページを見ている受諾招待客の画像を含み、前記イベントを表す画像を含み、前記イベントを開始することが望ましい時刻までのカウントダウンを表示し、前記ロビーページの閲覧者間のコンピュータチャットを支援するチャットウィンドウを含む、
ことを特徴とする請求項１０に記載の装置。
【請求項１４】
前記イベントは、オンライン映画である、
ことを特徴とする請求項１０に記載の装置。
【請求項１５】
前記プロセッサは、前記命令を実行した時に、受諾招待客もアクセス可能なコンピュータネットワーク上の劇場ページにアクセスするように前記装置を構成し、前記劇場ページは、前記選択されたイベント以外のイベントのサムネイルを表示し、少なくとも１つのサムネイルには、前記サムネイルに関連するイベントの将来のイベント時刻の表示を添付して、前記サムネイルに関連するイベントのオンラインイベントも予定されていること示す、
ことを特徴とする請求項１０に記載の装置。
【請求項１６】
前記劇場ページは、前記招待客に関する情報を少なくとも部分的に使用して前記オーディオビデオイベントオンラインへの招待客を対象にした少なくとも１つの広告を含む、
ことを特徴とする請求項１５に記載の装置。
【請求項１７】
前記招待客に関する情報は、ソーシャルネットワーキングサイトから取得される、
ことを特徴とする請求項１６に記載の装置。
【請求項１８】
ホストコンピュータ装置を使用して、映画、上映時刻及び１又はそれ以上の招待客を選択するステップと、
１又はそれ以上の招待客を選択したことに応答して、前記それぞれの１又はそれ以上の招待客に関連する１又はそれ以上のそれぞれのゲスト装置に、前記上映時刻に前記映画の鑑賞に参加するための招待を送るステップと、
前記映画の鑑賞に参加するための招待の受諾を招待客が返送したことに応答して、前記招待客が参加を受諾した旨を示す情報を前記ホスト装置上に提示するステップと、
前記上映時刻の前に、ネットワーク上でホストされる、前記映画に関する情報を含むロビーページにアクセスするように前記ホスト装置を構成するステップと、
前記上映時刻に、受諾招待客に前記映画をストリーミングするステップと、
を含むことを特徴とする方法。
【請求項１９】
前記装置上に、参加者の増加とともに前記一人当たりの料金が下がる旨を表示する一人当たり料金情報を提示するステップを含む、
ことを特徴とする請求項１８に記載の方法。
【請求項２０】
前記映画に関するイベントページのアクセスに応答して、前記装置上にチャットウィンドウを提示するステップを含む、
ことを特徴とする請求項１８に記載の方法。
【発明の詳細な説明】
【技術分野】
【０００１】
本出願は、一般に、オンラインイベントを待つための仮想ミーティングロビーに関する。
【背景技術】
【０００２】
多岐にわたるネットワークアプリケーションにも関わらず、サービスプロバイダに劇場の場合と同様に自社の製品を広告する機会を与える仮想ロビーを提供することを含む、友人グループと共に直接映画を見に行くことを厳密に模倣した映画鑑賞などの共通体験を人々にオンラインで共有させる必要性が存在する。
【発明の概要】
【課題を解決するための手段】
【０００３】
従って、装置が、コンピュータプロセッサと、プロセッサにより制御されるディスプレイと、プロセッサがアクセス可能な、命令を保持するコンピュータ可読記憶媒体とを含み、プロセッサは、この命令を実行した時に、選択時に後でオンラインオーディオビデオイベントをホストするためのオプションを提供するセレクタ要素を示す第１のユーザインターフェイス（ＵＩ）をディスプレイ上に提示する。プロセッサは、イベントを開始することが望ましい日付及び時刻をユーザが選択できるようにする日付及び時刻入力要素をディスプレイ上に提示するとともに、ユーザがイベントへの招待客を入力できるようにする招待客入力要素をディスプレイ上に提示する。プロセッサは、イベント情報と、上記日付及び時刻日付にオンラインでイベントにアクセスするための招待とを招待客に送る。また、プロセッサは、受諾招待客もアクセス可能なコンピュータネットワーク上のロビーページにアクセスするように装置を構成する。このロビーページは、同様にロビーページを見ている受諾招待客の画像、イベントを表す画像、イベントを開始することが望ましい時刻までのカウントダウン表示、及びロビーページの閲覧者間のコンピュータチャットを支援するチャットウィンドウを含む。
【０００４】
いくつかの例では、イベントがオンライン映画であり、ユーザは、招待客入力要素により、ソーシャルネットワーキングコンピュータサイトから招待客を選択することができる。
【０００５】
必要に応じて、プロセッサは、招待の受諾を受け取り、その表示をホスト装置上に提示することができる。第１のＵＩは、ユーザに映画の料金を通知する価格ボックスを提示することができる。この料金は、参加者一人当たりの料金とすることができ、第１のＵＩは、参加者が多いほど参加者一人当たりの料金が安くなる旨を示すことができる。
【０００６】
実装例では、プロセッサが、受諾招待客もアクセス可能なコンピュータネットワーク上の劇場ページにアクセスするように装置を構成する。この劇場ページは、選択されたイベント以外のイベントのサムネイルを表示し、そのいくつかには、サムネイルに関連するイベントの将来のイベント時刻の表示を添付して、そのサムネイルに関連するイベントのオンラインイベントも予定されている旨を示すことができる。劇場ページは、招待客に関する情報を少なくとも部分的に使用してオンラインオーディオビデオイベントへの招待客を対象にした広告をさらに含むことができる。招待客に関する情報は、ソーシャルネットワーキングサイトから取得することができる。
【０００７】
別の態様では、装置が、コンピュータプロセッサと、プロセッサにより制御されるディスプレイと、プロセッサがアクセス可能な、命令を保持するコンピュータ可読記憶媒体とを含み、プロセッサは、この命令を実行した時に、オンラインイベントに参加するための招待をホスト装置から受け取ったことに応答して、ディスプレイ上に第１のユーザインターフェイス（ＵＩ）を提示する。第１のＵＩは、オンラインイベントに関する画像、並びにホスト装置のユーザホストに関連する画像又はアイコン又はその他の記号と、プロセッサに関連するディスプレイを有する装置に関連するユーザをホストがオンラインイベントに参加するように招待した旨のメッセージとを含む。第１のＵＩは、イベントの予定時刻、イベントへの参加を既に受諾した人々のリスト、及び招待の受諾を示すメッセージを送信すべく選択可能な「受諾」セレクタ要素を含むこともできる。
【０００８】
別の態様では、方法が、ホストコンピュータ装置を使用して、映画、上映時刻及び１又はそれ以上の招待客を選択するステップを含む。１又はそれ以上の招待客を選択したことに応答して、それぞれの１又はそれ以上の招待客に関連する１又はそれ以上のそれぞれのゲスト装置に、上映時刻に映画鑑賞に参加するための招待が送られる。招待客が、映画鑑賞に参加するための招待の受諾を返送したことに応答して、招待客が参加を受諾した旨を示す情報がホスト装置上に提示される。上映時刻前には、ホスト装置が、ネットワーク上でホストされるロビーページにアクセスするように構成され、このロビーページは、映画に関する情報を含む。上映時刻になると、受諾招待客に映画がストリーミングされる。
【０００９】
同じ参照数字が同じ部分を示す添付図面を参照することにより、本発明の詳細を、その構造及び動作の両方に関して最も良く理解することができる。
【図面の簡単な説明】
【００１０】
【図１】本原理によるシステム例を示すブロック図である。
【図２】第１の実施形態例のユーザインターフェイス（ＵＩ）を示すスクリーンショットである。
【図３】第１の実施形態例のユーザインターフェイス（ＵＩ）を示すスクリーンショットである。
【図４】第１の実施形態例のユーザインターフェイス（ＵＩ）を示すスクリーンショットである。
【図５】第１の実施形態例のユーザインターフェイス（ＵＩ）を示すスクリーンショットである。
【図６】第１の実施形態例のユーザインターフェイス（ＵＩ）を示すスクリーンショットである。
【図７】第１の実施形態例のユーザインターフェイス（ＵＩ）を示すスクリーンショットである。
【図８】図２〜図９のＵＩに関する論理例のフロー図である。
【図９】映画選択サイトに適用される第２の実施形態に関するスクリーンショットである。
【図１０】映画選択サイトに適用される第２の実施形態に関するスクリーンショットである。
【図１１】映画選択サイトに適用される第２の実施形態に関するスクリーンショットである。
【発明を実施するための形態】
【００１１】
まず図１を参照すると、システム１０が、無線電話に実装できるホスト装置１２を含む。装置１２は、プロセッサ１４を含むことができ、このプロセッサ１４は、ディスクベース又は固体コンピュータ可読記憶媒体１６にアクセスして、以下に限定されるわけではないが、符号分割多元接続（ＣＤＭＡ）トランシーバ、グローバル・システム・フォー・モバイル・コミュニケーション（ＧＳＭ）トランシーバ、直交周波数分割多重（ＯＦＤＭ）トランシーバ、又はその他の適当な電話トランシーバなどの無線電話トランシーバ１８を制御する論理を実行する。プロセッサ１４は、以下に限定されるわけではないが、ＷｉＦｉトランシーバ、Ｂｌｕｅｔｏｏｔｈトランシーバ及び有線又は無線モデムなどの無線トランシーバとすることができる１又はそれ以上のトランシーバ２０（明確にするために１つのトランシーバしか示していない）を介してシステム１０内の他の装置と通信することができる。装置１２は、人間のユーザにビジュアル及び／又はオーディオデータを提示するためのディスプレイシステム２２と、ディスプレイシステム２２内のキーパッド及び／又はタッチ画面機能などの入力装置２４とをさらに含むことができる。
【００１２】
なお、ホスト装置１２は、ＰＣ、ラップトップ、又はノートブックコンピュータ、スレートコンピュータ、ＴＶ、家庭用娯楽装置コントローラ、ゲーム機、携帯情報端末などを無制限に含むその他のコンピュータ装置に実装することもできる。後述するゲスト装置についても同様である。
【００１３】
タブレット又はラップトップ又はノートブックコンピュータに実装できるゲスト装置２６は、プロセッサ２８を含むことができ、このプロセッサ２８は、ディスクベース又は固体コンピュータ可読記憶媒体３０にアクセスして、通常は画像及びユーザインターフェイスの形でデータを出力するようにビデオディスプレイ３２を制御する論理を実行する。１又はそれ以上の音声スピーカ３３を設けることもできる。プロセッサ２８は、以下に限定されるわけではないが、ＷｉＦｉトランシーバ及びＢｌｕｅｔｏｏｔｈトランシーバなどの無線トランシーバとすることができる１又はそれ以上のトランシーバ３４（明確にするために１つのトランシーバしか示していない）を介してシステム１０内の他の装置に一般データを通信することができる。プロセッサ２８は、キーボード、キーパッド、マウス、トラックボール、その他のポイント・アンド・クリック装置、マイク（図示せず）で取り込まれた音声に基づいて動作する音声認識ソフトウェア、及びディスプレイ３２のタッチ機能などの１又はそれ以上のユーザ入力装置３６からユーザ入力を受け取ることができる。図示のように、システム１０は、整数を「Ｎ」とする「Ｎ」個のゲスト装置を含むことができる。
【００１４】
オンライン映画又はその他のオンラインコンテンツを発信するコンテンツサーバ３６は、１又はそれ以上のプロセッサ３８を含むことができ、このプロセッサ３８は、１又はそれ以上の記憶装置４０にアクセスし、１又はそれ以上のコンピュータトランシーバ４２を介してインターネット４４を通じて装置１２、２６にコンテンツを供給する。
【００１５】
図２に、各々が映画などのそれぞれのオーディオビデオプログラムを表す複数のサムネイル５２を示す、ホスト装置のディスプレイ２２上に提示できるＵＩ５０を示す。例えばポイント・アンド・クリック装置２４又はディスプレイ２２のタッチ画面機能によりサムネイル５２を選択すると、図３のＵＩ５４を表示することができる。なお、図２及び図３のＵＩ５０、５４には、独立モードで、又はＳｏｎｙ社のＣｒａｃｋｌｅ（商標）などのサードパーティの映画サービスにより、サムネイル及び英数字情報を読み込むことができる。
【００１６】
図３のＵＩ５４は、図２のＵＩ５０から選択した映画を直ぐに見るためのオプション５６をホストユーザに与える。なお、選択された映画のサムネイル画像５８上には、必要に応じて映画コンテンツのタイトル、俳優、レーティング、映画の上映時刻及び簡単な説明などの映画情報を重ねて共に提示することができる。オプション５６と共に、映画を直ぐに視聴する料金をユーザに通知するための価格ボックス６０を並べて提示することができる。オプション５６が選択されたことに応答して、コンテンツサーバ３６などからホスト装置１２に直ちに映画をストリーミングすることが受諾された時点で、ユーザにクレジットカード番号などを入力するように促す支払画面を提示することができる。或いは、適切な場合、支払画面によりユーザに加入情報を入力するように促すことができる。
【００１７】
一方、ユーザは、以下でさらに詳述する原理によるムービーナイトオンラインを後日に開催するためのオプション６２を選択することもできる。この「ムービーナイトの開催」オプション６２と共に、ユーザに映画の料金を通知する価格ボックス６４を提示することができる。一例では、ボックス６４内に示される料金が、受諾参加者一人当たりの料金である。別の実施形態では、この料金を全体料金とすることができる。いくつかの実施形態では、この料金が、ある料金「又はそれ以下」を示すとともに、参加者が多いほど参加者一人当たりの料金が安くなる旨の説明６６を示すことができる。例えば、参加者一人当たりの料金は、５人又はそれ以下の参加者の場合には第１の料金とし、５人から１０人の参加者の場合には、第１の料金よりも安い第２の参加者一人当たりの料金とし、参加者が１０人よりも多い場合には、第２の料金よりも安い第３の料金とすることができる。一般に、説明６６は、参加者が多いほど各参加者の支払いが少なくなることを通知するものである。
【００１８】
独立モードでは、「ムービーナイトの開催」オプション６２が選択されると、ホスト装置のディスプレイ２２上に図４のＵＩ６８が表示される。ホストユーザは、日付及び時刻フィールド７０、７２に映画を開始することが望ましい日付及び時刻を入力する。その後、ホストユーザは、ムービーナイトに参加する予定招待客のリストを入力する。この入力は、各招待客の個々のｅメールアドレス又はその他のネットワークアドレスを入力することにより、或いはソーシャルネットワーキングサイト上の全ての友人（図４に示す２つのソーシャルネットワーキングサイトセレクタ）又はｅメールアドレスブックの全ての名前などの、グループの全てのメンバーに招待が送信されるようにするポストセレクタ７４を選択することにより行うことができる。
【００１９】
図５に、図４のＵＩ６６を通じて入力された招待客に属するゲスト装置のディスプレイ３２上に提示できるＵＩ７６を示す。図示のように、ＵＩ７６は、選択された映画の画像７８、及び必要に応じて、映画タイトル、レーティング、説明及び俳優リストを含むことができる。ホストに関連する画像又はアイコン又はその他の記号８０と共に、［ホストネーム］が受信者をムービーナイトオンラインに参加するように招待した旨のメッセージ８２を提示することもできる。
【００２０】
図５のＵＩ７６は、予定上映時刻及び日付８４、及び映画が有料映画である場合には料金８６を含むこともできる。なお、ＵＩ７６は、料金８６に加え、参加者が多いほど参加者一人当たりの料金が安くなることに関連する図３に示す説明６６を含むこともできる。また、図５のＵＩ７６は、ユーザがリスト８８内の人数、及びＵＩ７６に含まれている場合には説明６６に基づいて、現在の推定映画料金を理解するように、オンラインムービーナイトイベントへの参加を既に表明した人々のリスト８８を含むことができる。
【００２１】
ユーザは、オンラインムービーナイトイベントへの参加を選択するために、「受諾」セレクタ要素９０を選択することができる。これにより、独立モードではホスト装置１２に、及び／又はサードパーティサーバモードではコンテンツサーバ３６にメッセージが送信され、参加に同意した招待客のリストが蓄積される。ホスト装置又はサーバは、受諾ゲスト装置に定期的にリマインダーを送信することができ、或いは受諾ゲスト装置が、イベントの４時間前、２時間前及び１時間半前などに次のムービーナイト開始時刻のリマインダーを自己生成することができる。
【００２２】
以下でさらに説明するように、ホスト装置１２及び／又はサーバ３６は、選択された映画及び受諾招待客に基づいてムービーナイトサイトを構築することができる。例えば、（ソーシャルネットワーキングサイトを使用して招待客を選択する場合）招待客を選択したソーシャルネットワーキングサイトから得られる招待客の人口統計データを使用して、的を絞った広告及び電子クーポンなどを作成し、又は人口統計グループに特定の広告などを相関付ける記憶装置からこれらを取り出すことができる。ソーシャルネットワーキングサイト上では、受諾招待客がいくつかの傾向及び好みを示すこともあり、人口統計データに加えて又はその代わりに、これらの傾向及び好みを特定の製品及びサービス及びその広告に相関付けることができる。推薦エンジンにより、例えば映画３を好んだ人々は映画Ａ、Ｂ及びＣを見たいと思う確率が高いといった当業で公知のコンテンツ推薦原理に従い、選択された映画に基づいて推薦映画のリストを生成することもできる、
【００２３】
これらのことを考慮して、推薦映画のクリップ及び／又は推薦映画のサムネイルを表示する劇場サイトを作成し、このサイトのアドレス（サイトへのハイパーリンクなど）をホスト装置１２に提供して受諾招待客のゲスト装置にこれを広め、又は受諾招待客のゲスト装置に直接提供することができる。このようなサイトを図６に示しており、これについては以下でさらに説明する。また、オンライン購入が可能な的を絞った広告のクリップ及び／又はサムネイルを表示するロビーサイトを構築し、（例えば、招待客を選択したソーシャルネットワーキングサイト上の招待客のプロファイルによって示されるような）受諾招待客の家の近くのピザ宅配店の広告などをピザの電子割引クーポンと共にロビーサイトに提示することができる。ムービーナイトの参加者には、限定するわけではないが、ロビーサイトへのハイパーリンクなどのロビーサイトのアドレスを提供することができる。図７にロビーサイトの例を示しており、これについては以下でさらに説明する。
【００２４】
従って、ここで図６を参照して分かるように、いくつかの実施形態では推薦エンジンにより提供される、選択された映画以外の映画の静止画像及びライブビデオストリームを含むサムネイル９４を表示する劇場ページ９２をホスト装置又はゲスト装置のディスプレイ上に提示することができる。なお、サムネイル９４のうちの２つ（映画Ｄ及びＦ）は、これらの映画の今後のムービーナイト時刻を９６にさらに示し、これらの映画のオンラインムービーナイトイベントが予定されていることを示している。ユーザは、関連するサムネイル９４をクリックすることなどにより、これらのさらなるオンラインムービーナイトイベントへの参加を選択することができる。同様に、劇場ページ９２には、広告及び電子クーポンなどの的を絞った広告サムネイル９７を提示することもでき、閲覧者は、これらの広告サムネイルを選択して関連製品のさらなる情報を獲得し、及び／又は関連製品を購入して、必要であれば閲覧者の家に配送されるようにすることができる。
【００２５】
劇場ページ９２には、選択時に選択したユーザのディスプレイ上に図７のロビーページ１００が表示されるようにする「ロビーへ」セレクタ要素９８を提供することもできる。ロビーページ１００は、「ロビー内」メッセージ１０４で示すように、ロビーページ１００を閲覧中である受諾招待客の画像１０２を含むことができる。ロビーページ１００には、選択された映画の画像１０６及びその映画の開始までのカウントダウン１０８を表示して、ロビー内の閲覧者に上映開始時刻を思い出させることもできる。上映の開始を待つ閲覧者は、ロビーページ１００に集まっている間に、必要に応じてチャットウィンドウを見てコメントを入力することによりチャットを行うことができる。図示のように、チャットウィンドウ１１０は、チャットルーム１１０内の人々を表す画像又はその他の記号１１２、及びそのコメント１１４を含むことができる。
【００２６】
図８に、上記の原理をフロー図形式で示す。ブロック１１６から開始して、ホスト装置１２を使用するホストが、映画、上映時刻及び招待客を選択する。招待客は、ブロック１１８において招待を受け取り、受諾招待客は、ブロック１２０においてリマインダーを受け取ることができる。上記の原理に従ってロビー及び劇場ページを構築する。
【００２７】
ブロック１２２は、受諾ゲストが、予定上映時刻の数分又は数時間前に図７のロビーページ１００に入り、必要に応じてチャットできることを示す。なお、開始時刻の前に、支払いの終わっていない招待客のディスプレイ上には、リマインダー支払ボックスを提示することができる。上述したように、この支払ボックスは、各受諾招待客が映画の開始時刻前にオンラインで映画料金を支払うように、会計データを入力するように構成される。支払いを行わなければ、未払いユーザの装置には映画が送信されない。
【００２８】
ブロック１２４において、映画プロバイダから各ゲスト装置及びホスト装置１２にビデオストリームを送信することなどにより、予定開始時刻に映画が開始される（適切な場合には支払いを保留する）。映画が始まると、図７のチャットウィンドウ１１０は、映画を上映中のホスト装置又はゲスト装置から離れた二次装置のディスプレイに移動することができる。例えば、招待客がラップトップ上で映画を見ている場合、招待客の近くのＰＤＡ上でチャットウィンドウを開くことができる。ブロック１２８において、ホスト装置１２は、一時停止及び再生、並びに必要に応じてトリック再生モードを含む映画再生の制御を行うことができるが、ゲスト装置は制御を行うことができない。参加ゲストは、例えばチャットウィンドウを介して、ホストに映画を停止するように要求することができる。
【００２９】
図９〜図１１に、サードパーティサーバアプリケーションに固有のものとすることができるさらなるＵＩを示す。ホストが、コンテンツサーバ３６上の映画リストにアクセスすることなどによって上述したように映画を選択すると、ホスト装置１２のディスプレイ上に、その映画に関する画像１３２、並びに必要に応じてタイトル、レーティング、説明及び俳優リストを表示するＵＩ１３０を提示することができる。日付及び時刻ボックス１３４、１３６が提供され、ホストは、キーボード上の数字キー又は図示のような上下矢印を使用して、又はその他の入力方法により、このボックス内に映画の開始日及び時刻を入力することができる。「ポスト」セレクタ１３８を選択すると、図示のようなアイコン１４０で表すことができるグループ内のユーザに関連する装置に招待が送られる。例えば、セレクタ１３８を選択すると、ソーシャルネットワーキングサイト上の友人に招待を送信することができる。
【００３０】
図９でポストセレクタを操作した後は、図１０に示すように、ホスト及び／又はゲストのディスプレイ上に、映画に関する画像１４６、並びに必要に応じてタイトル、レーティング、説明及び俳優リストを示すＵＩ１４４を表示することができる。映画名１５０及びホスト名１５２と共に、日付及び時刻情報１４８も提示される。ゲスト装置には、ＵＩ１４４上に、上述した原理に従ってオンラインムービーナイトイベントに参加するために選択できる「受諾」セレクタ要素１５４が提示される。
【００３１】
図１１に示すリマインダー画面１５６は、ホスト装置及びゲスト装置のディスプレイ上に定期的及び自動的に提示して、「Ｘ」分後に映画が始まることを参加者に思い出させ、必要に応じて現在時刻を表示することもできる。
【００３２】
従って、本原理は、独立アプリケーション又はＣｒａｃｋｌｅなどの映画選択サイトとの統合を使用してオンライン映画／オンライン映画祭を分散グループとして鑑賞することなどのイベントのオンライン会場に関する。より大きなグループには安い視聴料金を提供することができ、電子ベンダーは、このオンライン会場を使用して、食料、オンラインリフレッシュメントなどを募ることができる。広告を提供して、典型的には既知の参加者をその対象にすることができる。電子クーポン、景品及びその他の誘因を提示することもできる。この会場が関連し得るその他のイベントとしては、仮想結婚式及び卒業式などが挙げられる。
【００３３】
本明細書では、特定の「オンラインイベントを待つための仮想ミーティングロビー」を図示し詳細に説明したが、本発明に含まれる主題は、特許請求の範囲のみにより限定されるものであると理解されたい。
【図１】
2014149821.tif 000003
【図２】
2014149821.tif 000004
【図３】
2014149821.tif 000005
【図４】
2014149821.tif 000006
【図５】
2014149821.tif 000007
【図６】
2014149821.tif 000008
【図７】
2014149821.tif 000009
【図８】
2014149821.tif 000010
【図９】
2014149821.tif 000011
【図１０】
2014149821.tif 000012
【図１１】
2014149821.tif 000013
【外国語明細書】
2014149821000001.pdf